【事件の表示】
　特許第３２２６３９７号「仮柱付き建物ユニット」の請求項１、２に係る特許に対する特許異議の申立てについて、次のとおり決定する。
【結　論】
　訂正を認める。
　特許第３２２６３９７号の請求項１ないし２に係る特許を取り消す。
【理　由】
１．手続の経緯
　特許第３２２６３９７号の発明についての出願は、平成５年１１月９日に出願され、平成１３年８月３１日にその発明についての特許権の設定登録がなされ、その後、岡田芳子より特許異議の申立てがなされ、当審において平成１４年７月８日付けの取消理由を通知し、その指定期間内である平成１４年８月２８日に意見書とともに訂正請求がなされた。その後、当審において平成１４年１１月１４日付けの取消理由を通知し、期間を指定して意見書を提出する機会を与えたが、特許権者からは何らの応答もない。
　
２．訂正の適否についての判断
　平成１４年８月２８日付けの訂正請求は、訂正請求書に添附した明細書のとおりに訂正することを求めるものであって、その内容は、特許請求の範囲の減縮あるいは、明りょうでない記載の釈明を目的とした明細書の訂正に該当し、新規事項の追加に該当せず、実質上特許請求の範囲を拡張し、又は変更するものではない。
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
　
３．特許異議の申立てについての判断
　平成１４年１１月１４日付けの取消理由は妥当なものと認められるので、本件特許は、この取消理由によって取り消すべきものである。
　よって、結論のとおり決定する。
【異議決定日】
平成１５年２月１９日（２００３．２．１９）
【訂正の要旨】
　ａ．特許第３２２６３９７号の明細書中特許請求の範囲において、
「【請求項１】　四隅に柱が配設され、これらの柱の上端部間および下端部間に梁が架け渡されて箱状のラーメン構造とされ、前記柱の少なくとも一つが着脱可能とされる仮柱付き建物ユニットにおいて、
　前記仮柱の少なくとも一つは、長手方向に少なくとも二つの部分に分割され、それぞれの分割面に蓋プレートが取り付けられ、この蓋プレートがボルトとナットで締結されて着脱可能とされていることを特徴とする仮柱付き建物ユニット。
　【請求項２】　四隅に柱が配設され、これらの柱の上端部間および下端部間に梁が架け渡されて箱状のラーメン構造とされ、前記柱の少なくとも一つが着脱可能とされる仮柱付き建物ユニットにおいて、
　前記仮柱は、その上端部および下端部に蓋プレートが取り付けられ、この蓋プレートが、仮柱を支持する建物ユニットの下部側角隅部の上部および仮柱に支持される建物ユニットの上部側角隅部の下部に溶接固定されたナットにボルトが螺合されることにより着脱可能とされていることを特徴とする仮柱付き建物ユニット。」とあるのを、
「【請求項１】　四隅に柱が配設され、これらの柱の上端部間および下端部間に梁が架け渡されて箱状のラーメン構造とされ、前記柱の少なくとも一つが着脱可能とされる仮柱付き建物ユニットにおいて、
　前記仮柱の少なくとも一つは、長手方向に少なくとも二つの部分に分割され、それぞれの分割面に蓋プレートが取り付けられ、この蓋プレートがボルトとナットで締結されて着脱可能とされていることを特徴とする仮柱付き建物ユニット。
　【請求項２】　四隅に柱が配設され、これらの柱の上端部間および下端部間に梁が架け渡されて箱状のラーメン構造とされ、前記柱の少なくとも一つが着脱可能とされる仮柱付き建物ユニットにおいて、
　前記仮柱は、その上端部および下端部に蓋プレートが取り付けられ、
仮柱を支持する建物ユニットの下部側角隅部および仮柱に支持される建物ユニットの上部側角隅部には、短柱状の柱取付部が設けられ、下部側角隅部に設けた柱取付部の上部および上部側角隅部に設けた柱取付部の下部にナットが溶接固定され、前記蓋プレートは、この
　これに伴い、（特許請求の範囲）の記載と、（発明の詳細な説明）の欄の記載との整合を図るため、明瞭でない記載の釈明を目的として、
　ａ−１．特許第３２２６３９７号の明細書中、段落番号（０００６）の記載において、
「【０００６】
　【課題を解決するための手段】
　請求項１記載の発明の仮柱付き建物ユニットは、四隅に柱が配設され、これらの柱の上端部間および下端部間に梁が架け渡されて箱状のラーメン構造とされ、前記柱の少なくとも一つが着脱可能とされる仮柱付き建物ユニットにおいて、前記仮柱の少なくとも一つは、長手方向に少なくとも二つの部分に分割され、それぞれの分割面に蓋プレートが取り付けられ、この蓋プレートがボルトとナットで締結されて着脱可能とされていることを特徴としている。
　また、請求項１記載の発明の仮柱付き建物ユニットは、四隅に柱が配設され、これらの柱の上端部間および下端部間に梁が架け渡されて箱状のラーメン構造とされ、前記柱の少なくとも一つが着脱可能とされる仮柱付き建物ユニットにおいて、前記仮柱は、その上端部および下端部に蓋プレートが取り付けられ、この蓋プレートが、仮柱を支持する建物ユニットの下部側角隅部の上部および仮柱に支持される建物ユニットの上部側角隅部の下部に溶接固定されたナットにボルトが螺合されることにより着脱可能とされていることを特徴としている。
」とあるのを、
「【０００６】
　【課題を解決するための手段】
　請求項１記載の発明の仮柱付き建物ユニットは、四隅に柱が配設され、これらの柱の上端部間および下端部間に梁が架け渡されて箱状のラーメン構造とされ、前記柱の少なくとも一つが着脱可能とされる仮柱付き建物ユニットにおいて、前記仮柱の少なくとも一つは、長手方向に少なくとも二つの部分に分割され、それぞれの分割面に蓋プレートが取り付けられ、この蓋プレートがボルトとナットで締結されて着脱可能とされていることを特徴としている。
　また、請求項
２
仮柱を支持する建物ユニットの下部側角隅部および仮柱に支持される建物ユニットの上部側角隅部には、短柱状の柱取付部が設けられ、下部側角隅部に設けた柱取付部の上部および上部側角隅部に設けた柱取付部の下部にナットが溶接固定され、前記蓋プレートは、この
」と訂正する。
　ａ−２．特許第３２２６３９７号の明細書中、段落番号（０００７）の記載において、
「【０００７】
　【作用】
　請求項１記載の発明に係る仮柱付き建物ユニットによれば、少なくとも一つの仮柱が、長手方向に少なくとも二つの部分に分割され、それぞれの分割面に蓋プレートが取り付けられ、この蓋プレートがボルトとナットで締結されて着脱可能とされているので、断面コ字状の型鋼材の開口に工具を入れてボルトとナットを外し、仮柱を水平方向にずらすだけで仮柱は容易に分割して取り外すことができる。これによって、一度に取り扱う仮柱の構成部材の小型化、軽量化を図ることができ、建物内から仮柱を搬出するときの取り扱いが従来のものと比べて容易なものとなる。
　また、請求項２記載の発明に係る仮柱付き建物ユニットによれば、仮柱は、その上端部および下端部に蓋プレートが取り付けられ、この蓋プレートが、仮柱を支持する建物ユニットの下部側角隅部の上部および仮柱に支持される建物ユニットの上部側角隅部の下部に溶接固定されたナットにボルトが螺合されることにより着脱可能とされているので、工業化生産される際に仮柱の取付けが容易且つ確実に行われるとともに、建物ユニット据え付け後の仮柱の取り外しと搬出が容易なものとなる。」とあるのを、
「【０００７】
　【作用】
　請求項１記載の発明に係る仮柱付き建物ユニットによれば、少なくとも一つの仮柱が、長手方向に少なくとも二つの部分に分割され、それぞれの分割面に蓋プレートが取り付けられ、この蓋プレートがボルトとナットで締結されて着脱可能とされているので、断面コ字状の型鋼材の開口に工具を入れてボルトとナットを外し、仮柱を水平方向にずらすだけで仮柱は容易に分割して取り外すことができる。これによって、一度に取り扱う仮柱の構成部材の小型化、軽量化を図ることができ、建物内から仮柱を搬出するときの取り扱いが従来のものと比べて容易なものとなる。
　また、請求項２記載の発明に係る仮柱付き建物ユニットによれば、仮柱は、その上端部および下端部に蓋プレートが取り付けられ、この蓋プレート
は、下部側角隅部に設けた柱取付部の上部および上部側角隅部に設けた柱取付部の下部に
　ａ−３．特許第３２２６３９７号の明細書中、段落番号（０００７）の記載において、
「【００２３】
　【発明の効果】
　以上説明したように、請求項１記載の発明に係る仮柱付き建物ユニットによれば、少なくとも一つの仮柱が、長手方向に少なくとも二つの部分に分割され、それぞれの分割面に蓋プレートが取り付けられ、この蓋プレートがボルトとナットで締結されて着脱可能とされているので、断面コ字状の型鋼材の開口に工具を入れてボルトとナットを外し、仮柱を水平方向にずらすだけで仮柱は容易に容易に分割して取り外すことができる。これによって、建物内から仮柱を搬出するときの取り扱いを容易なものとすることができるという効果がある。
　また、請求項２記載の発明に係る仮柱付き建物ユニットによれば、仮柱は、その上端部および下端部に蓋プレートが取り付けられ、この蓋プレートが、仮柱を支持する建物ユニットの下部側角隅部の上部および仮柱に支持される建物ユニットの上部側角隅部の下部に溶接固定されたナットにボルトが螺合されることにより着脱可能とされているので、工業化生産される際に仮柱の取付けが容易且つ確実に行われるとともに、建物ユニット据え付け後の仮柱の取り外しと搬出が容易なものとすることができるという効果がある。」とあるのを、
「【００２３】
　【発明の効果】
　以上説明したように、請求項１記載の発明に係る仮柱付き建物ユニットによれば、少なくとも一つの仮柱が、長手方向に少なくとも二つの部分に分割され、それぞれの分割面に蓋プレートが取り付けられ、この蓋プレートがボルトとナットで締結されて着脱可能とされているので、断面コ字状の型鋼材の開口に工具を入れてボルトとナットを外し、仮柱を水平方向にずらすだけで仮柱は容易に容易に分割して取り外すことができる。これによって、建物内から仮柱を搬出するときの取り扱いを容易なものとすることができるという効果がある。
　また、請求項２記載の発明に係る仮柱付き建物ユニットによれば、仮柱は、その上端部および下端部に蓋プレートが取り付けられ、この蓋プレート
は、下部側角隅部に設けた柱取付部の上部および上部側角隅部に設けた柱取付部の下部に
（５４）【発明の名称】
仮柱付き建物ユニット
（５７）【特許請求の範囲】
　【請求項１】　四隅に柱が配設され、これらの柱の上端部間および下端部間に梁が架け渡されて箱状のラーメン構造とされ、前記柱の少なくとも一つが着脱可能とされる仮柱付き建物ユニットにおいて、
　前記仮柱の少なくとも一つは、長手方向に少なくとも二つの部分に分割され、それぞれの分割面に蓋プレートが取り付けられ、この蓋プレートがボルトとナットで締結されて着脱可能とされていることを特徴とする仮柱付き建物ユニット。
　【請求項２】　四隅に柱が配設され、これらの柱の上端部間および下端部間に梁が架け渡されて箱状のラーメン構造とされ、前記柱の少なくとも一つが着脱可能とされる仮柱付き建物ユニットにおいて、
　前記仮柱は、その上端部および下端部に蓋プレートが取り付けられ、
仮柱を支持する建物ユニットの下部側角隅部および仮柱に支持される建物ユニットの上部側角隅部には、短柱状の柱取付部が設けられ、下部側角隅部に設けた柱取付部の上部および上部側角隅部に設けた柱取付部の下部にナットが溶接固定され、前記蓋プレートは、この
【発明の詳細な説明】
　【０００１】
　【産業上の利用分野】
　この発明は、仮柱付き建物ユニットに関するものである。
　【０００２】
　【従来の技術】
　従来より、工業化生産される建物ユニットには、例えば特開平３−２８６０５６号公報に示されるように、四隅に仮柱が配設されているものがある。
　【０００３】
　この種の建物ユニットは、据え付け後に仮柱を取り外すことによって、間取り設計の自由度を増すことができるなどの利点がある。
　【０００４】
　【発明が解決しようとする課題】
　しかしながら、上記のような建物ユニットでは、仮柱の長さが建物ユニットの高さぐらいあるため、取り外した仮柱を建物の外に搬出するときに、壁や床面にきず等の損傷を与えないように細心の注意を払わなければならないという不具合があった。また、１本の仮柱の重量が約３０Ｋｇもあり、取り扱いに手間がかかるという不具合があった。
　【０００５】
　この発明は、このような不具合を解決するためになされたもので、仮柱の搬出時の取り扱いを容易なものとすることのできる仮柱付き建物ユニットを提供することを目的としている。
　【０００６】
　【課題を解決するための手段】
　請求項１記載の発明の仮柱付き建物ユニットは、四隅に柱が配設され、これらの柱の上端部間および下端部間に梁が架け渡されて箱状のラーメン構造とされ、前記柱の少なくとも一つが着脱可能とされる仮柱付き建物ユニットにおいて、前記仮柱の少なくとも一つは、長手方向に少なくとも二つの部分に分割され、それぞれの分割面に蓋プレートが取り付けられ、この蓋プレートがボルトとナットで締結されて着脱可能とされていることを特徴としている。
　また、請求項
２
仮柱を支持する建物ユニットの下部側角隅部および仮柱に支持される建物ユニットの上部側角隅部には、短柱状の柱取付部が設けられ、下部側角隅部に設けた柱取付部の上部および上部側角隅部に設けた柱取付部の下部にナットが溶接固定され、前記蓋プレートは、この
　【０００７】
　【作用】
　請求項１記載の発明に係る仮柱付き建物ユニットによれば、少なくとも一つの仮柱が、長手方向に少なくとも二つの部分に分割され、それぞれの分割面に蓋プレートが取り付けられ、この蓋プレートがボルトとナットで締結されて着脱可能とされているので、断面コ字状の型鋼材の開口に工具を入れてボルトとナットを外し、仮柱を水平方向にずらすだけで仮柱は容易に分割して取り外すことができる。これによって、一度に取り扱う仮柱の構成部材の小型化、軽量化を図ることができ、建物内から仮柱を搬出するときの取り扱いが従来のものと比べて容易なものとなる。
　また、請求項２記載の発明に係る仮柱付き建物ユニットによれば、仮柱は、その上端部および下端部に蓋プレートが取り付けられ、この蓋プレート
は、下部側角隅部に設けた柱取付部の上部および上部側角隅部に設けた柱取付部の下部に
　【０００８】
　【実施例】
　以下、この発明に係る仮柱付き建物ユニットの実施例を、図面にもとづいて説明する。
　【０００９】
　図１において、（Ａ）は建物ユニット１の側面図、（Ｂ）は（Ａ）中Ｂ−Ｂ矢視断面図を示している。
　【００１０】
　建物ユニット１は、四隅に配設された仮柱２の上端部２ａ間および下端部２ｂ間に、天井梁３および床梁４を架け渡して箱状のラーメン構造とされている。
　【００１１】
　各仮柱２は、図２に示すように断面コ字状とされた軽量型鋼材５を、上下２本一組として分割可能に構成されている。なお、この軽量型鋼材５の重量は、約１５Ｋｇとなっている。
　【００１２】
　軽量型鋼材５の上下の仕口端部には、鋼製の蓋プレート６が溶接にて取り付けられている。この蓋プレート６には、ボルト挿通孔７が形成されている。
　【００１３】
　２本の軽量型鋼材５、５は、開口８を同じ向きに揃えて蓋プレート６、６同士をボルトおよびナットによって連結されて仮柱２となるものである。つまり、仮柱２は、長手方向に二つの部分に分割することができるようになっている。
　【００１４】
　仮柱２の上端部２ａおよび下端部２ｂには、図３に示すような連結部材９が取り付けられるようになっている。
　【００１５】
　この連結部材９は、仮柱２の上端部２ａまたは下端部２ｂが取り付けられる柱取付部１０と、天井梁３または床梁４の端部が取り付けられる２つの梁取付部１１とを備えた軽量型鋼材とされている。
　【００１６】
　梁取付部１１は、天井梁３または床梁４が挿入されるような断面コ字状とされている。
　【００１７】
　また、柱取付部１０も、断面コ字状とされ、その下端部または上端部には、鋼製の蓋プレート１２が溶接にて取り付けられている。この蓋プレート１２の内面側には、図示省略のボルト挿通孔が形成され、その内面側にはウェルドナット１３が溶接にて取り付けられている。
　【００１８】
　蓋プレート１２は、仮柱２を構成する軽量型鋼材５の蓋プレート６と面接合されて、図４に示すボルト１５、ワッシャ１６とウェルドナット１３との締結によって仮柱２が連結部材９に取り付けられるようになっている。
　【００１９】
　さらに、柱取付部１０の側面部および背面部には、ボルト挿通孔１４が形成されている。これらのボルト挿通孔１４は、図５に示すように、隣接する他の建物ユニット２１とこの仮柱付き建物ユニット１とをボルト２２と図示省略のナットとの締結によって連結するためのものである。
　【００２０】
　次に、このような構成からなる仮柱付き建物ユニットの作用を説明する。
　【００２１】
　仮柱２のそれぞれが、長手方向に二つの部分（軽量型鋼材５、５）に分割されているので、仮柱付き建物ユニット１に四方から他の建物ユニットを連結したのち、各仮柱２を各軽量型鋼材５、５に分割して取り外すことができる。これによって、長さの短縮化、重量の軽減を図ることができ、建物内から仮柱を搬出するときの取り扱いが従来のものと比べて容易なものとなる。
　【００２２】
　なお、この発明は、上記の実施例に限定されるものではなく、当業者が思い付くような設計変更等も含むものである。例えば、この実施例では、仮柱を２分割としたが、３分割以上としてもよい。また、仮柱の本数も、１本〜３本とすることができ、そのうちの所要のものだけを分割するようにしてもよい。
　【００２３】
　【発明の効果】
　以上説明したように、請求項１記載の発明に係る仮柱付き建物ユニットによれば、少なくとも一つの仮柱が、長手方向に少なくとも二つの部分に分割され、それぞれの分割面に蓋プレートが取り付けられ、この蓋プレートがボルトとナットで締結されて着脱可能とされているので、断面コ字状の型鋼材の開口に工具を入れてボルトとナットを外し、仮柱を水平方向にずらすだけで仮柱は容易に容易に分割して取り外すことができる。これによって、建物内から仮柱を搬出するときの取り扱いを容易なものとすることができるという効果がある。
　また、請求項２記載の発明に係る仮柱付き建物ユニットによれば、仮柱は、その上端部および下端部に蓋プレートが取り付けられ、この蓋プレート
は、下部側角隅部に設けた柱取付部の上部および上部側角隅部に設けた柱取付部の下部に
【図面の簡単な説明】
　【図１】
　この発明の実施例にかかる仮柱付き建物ユニットを示すもので、（Ａ）は側面図、（Ｂ）は（Ａ）中Ｂ−Ｂ矢視断面図である。
　【図２】
　同仮柱を構成する軽量型鋼材を示す斜視図である。
　【図３】
　同連結部材を示す斜視図である。
　【図４】
　同仮柱を連結部材に連結する状態を示す斜視図である。
　【図５】
　同仮柱付き建物ユニットと他の建物ユニットとの連結および仮柱の取り外し状態を示す斜視図である。
　【符号の説明】
　１　仮柱付き建物ユニット
　２　仮柱
　２ａ　上端部
　２ｂ　下端部
　３　天井梁
　４　床梁
　５　軽量型鋼材（分割された仮柱）
　６　蓋プレート
　１３　ナット
　１５　ボルト